(57)【特許請求の範囲】
【請求項１】
防水シートを絶縁工法により張設した陸屋根面へのソーラーパネルの固定構造であって、
矩形のソーラーパネルと、
前記陸屋根面に張設した防水シートに接合される柱状部材と、
前記柱状部材の上面に前記陸屋根面に張設した防水シートとは非接触を保って載置される一対の長尺架台と、
前記一対の長尺架台の上面に載置され、前記ソーラーパネルを所定の傾斜角度をもって支持するパネル支持部材と、
を有し、
前記パネル支持部材は、載置される前記長尺架台の長手方向に沿って延在しており、且つ前記ソーラーパネルと前記長尺架台との間の空間を覆って該ソーラーパネル下方へ進入する風を減衰させる風除け部を有し、
前記長尺架台は、前記パネル支持部材を保持する水平片と、該水平片よりも下方に垂れ下がる風除け部を備えていることを特徴とするソーラーパネルの固定構造。
【請求項２】
前記防水シートが前記陸屋根面のコンクリート構造体に固定部材により固定される接合板に接合されて張設されており、前記柱状部材は前記接合板の真上で且つ該接合板を前記コンクリート構造体に固定する固定部材を避ける位置に配置して前記防水シートに接合されることを特徴とする請求項１に記載のソーラーパネルの固定構造。
【請求項３】
前記防水シートが前記陸屋根面のコンクリート構造体に固定部材により固定される接合板に接合されて張設されており、前記柱状部材は前記接合板を避ける位置に配置して前記防水シートに接合されることを特徴とする請求項１に記載のソーラーパネルの固定構造。
【発明の詳細な説明】
【技術分野】
【０００１】
本発明は、防水シートを絶縁工法により張設した陸屋根面に対して太陽エネルギーを取得するためにソーラーパネルを固定する際のソーラーパネルの固定構造に関するものである。
【背景技術】
【０００２】
従来、建物の屋根面に防水層を形成する方法として軟質塩化ビニル等の合成樹脂製の防水シートをコンクリートスラブ、ＡＬＣ（軽量気泡コンクリート）パネル等の上面に直接張設したり、或いは硬質の発泡性合成樹脂等を介して張設する方法が広く用いられている。
【０００３】
この場合、防水シートを屋根面に対して全面的に接着してしまうと地震等により屋根面に変形や移動が生じた際に防水シートが屋根面の変形や移動に追従してしまい、その結果、防水シートに亀裂が生じてしまう虞がある。この問題の解決策としては特許文献１に記載されているような絶縁（浮かし張り）工法が開発されている。
【０００４】
一方、防水シートで防水層を形成した陸屋根面に太陽光発電モジュールや太陽熱温水器等のソーラーパネルの載置物を載置する場合の技術として特許文献２に記載されているように屋根面から複数の外部連結体を突出させて該外部連結体に載置物を載置固定する方法が提案されている。
【０００５】
この方法によれば、載置物と屋根面（防水シート）とは縁が切れているので防水シートのメンテナンスを容易に行うことが可能であり、例えば物置のような重量物を載置しても荷重は外部連結体から直接梁に伝達されるので防水シートを傷めることが無いという点で有利である。
【０００６】
また、特許文献３には太陽電池モジュール支持体の設置手間を軽減出来、しかも防水層の貫通箇所数を少なく出来る取付構造が提案されている。
【０００７】
【特許文献１】特開昭６０−１８４１５７号公報
【特許文献２】特開平０８−２６０６４２号公報
【特許文献３】特開２００５−１９４７７１号公報
【発明の開示】
【発明が解決しようとする課題】
【０００８】
しかしながら、前述の従来例において、特許文献２の技術では、（１）梁のフランジ上面に載せて固定するので、設置位置が限定される。（２）載置物の大きさと建物のモジュールが対応していない場合に架台での寸法調整が必要である。（３）円筒形の外部連結体を突出させるので突出部周りの防水の収まりが複雑であり、新築時も防水シートのメンテナンス時も手間がかかる。（４）梁をアンカーとするので事前の準備工事が必要となり、当初予定していない部位に載置することが困難であるという問題があった。
【０００９】
また、特許文献３の技術では防水層の貫通箇所が発生するため防水処理が必要となる上、太陽電池モジュールの下部へ風が浸入して引き抜き荷重が大きくなり強固な固定構造が要求されるため固定部材の数が増大し、結果的に防水層の貫通箇所が増大して防水処理に手間がかかるという問題があった。
【００１０】
本発明は前記課題を解決するものであり、その目的とするところは、太陽光発電モジュールや太陽熱温水器等のソーラーパネル下部への風の侵入を防止すると共に、防水層の貫通箇所を無くすことで簡易に設置工事やメンテナンスが行えるソーラーパネルの固定構造を提供せんとするものである。
【課題を解決するための手段】
【００１１】
前記目的を達成するための本発明に係るソーラーパネルの固定構造の第１の構成は、防水シートを絶縁工法により張設した陸屋根面へのソーラーパネルの固定構造であって、矩形のソーラーパネルと、前記陸屋根面に張設した防水シートに接合される柱状部材と、前記柱状部材の上面に前記陸屋根面に張設した防水シートとは非接触を保って載置される一対の長尺架台と、前記一対の長尺架台の上面に載置され、前記ソーラーパネルを所定の傾斜角度をもって支持するパネル支持部材とを有し、前記パネル支持部材は、載置される前記長尺架台の長手方向に沿って延在しており、且つ前記ソーラーパネルと前記長尺架台との間の空間を覆って該ソーラーパネル下方へ進入する風を減衰させる風除け部を有し、前記長尺架台は、前記パネル支持部材を保持する水平片と、該水平片よりも下方に垂れ下がる風除け部を備えていることを特徴とする。
【００１２】
また、本発明に係るソーラーパネルの固定構造の第２の構成は、前記第１の構成において、前記防水シートが前記陸屋根面のコンクリート構造体に固定部材により固定される接合板に接合されて張設されており、前記柱状部材は前記接合板の真上で且つ該接合板を前記コンクリート構造体に固定する固定部材を避ける位置に配置して前記防水シートに接合されることを特徴とする。
【００１３】
また、本発明に係るソーラーパネルの固定構造の第３の構成は、前記第１の構成において、前記防水シートが前記陸屋根面のコンクリート構造体に固定部材により固定される接合板に接合されて張設されており、前記柱状部材は前記接合板を避ける位置に配置して前記防水シートに接合されることを特徴とする。
【発明の効果】
【００１４】
本発明に係るソーラーパネルの固定構造の第１の構成によれば、パネル支持部材は、載置される長尺架台の長手方向に沿って延在しており、且つソーラーパネルと長尺架台との間の空間を覆って該ソーラーパネル下方へ進入する風を減衰させる風除け部を有するので該ソーラーパネルの下面が強風を直接受けて吹き上げられることが抑制される。従って、比較的固定度の小さな絶縁工法により固定された防水シートに対して、特に大がかりな工事を施すことなく、軽量且つ受風面が広く強風で飛ばされ易いソーラーパネルを高い耐風性能をもって固定することが出来る。
【００１５】
また、本発明に係るソーラーパネルの固定構造の第２の構成によれば、接合板をコンクリート構造体に固定する固定部材の上部に柱状部材が載置されないので接合板を固定している固定部材の取り外しが簡単に行え、防水シートの張り替え等のメンテナンスを容易に行うことが出来る。
【００１６】
また、本発明に係るソーラーパネルの固定構造の第３の構成によれば、接合板の上部に柱状部材が載置されない構成とすることが出来、予め設置された接合板の位置とソーラーパネルに対応する柱状部材の位置とがずれた場合にも適用出来る。
【発明を実施するための最良の形態】
【００１７】
図により本発明に係るソーラーパネルの固定構造の一実施形態を具体的に説明する。図１は本発明に係るソーラーパネルの固定構造の第１実施形態の構成を示す全体斜視図、図２（ａ）は本発明に係るソーラーパネルの固定構造の第１実施形態の構成を示す断面説明図、図２（ｂ）は柱状部材と長尺部材とパネル支持部材の固定構造を示す分解説明図、図２（ｃ）は柱状部材と防水シートとの間に補強シートを介在させた場合の一例を示す分解説明図、図３（ａ）は接合板の構成を示す平面図及び側面図、図３（ｂ）は接合板の構成を示す断面図、図４（ａ），（ｂ）は各種柱状部材の構成を示す平面図及び断面図、図５は長尺部材及びパネル支持部材の一例を示す斜視図、図６は柱状部材と接合板との位置をずらした場合の本発明に係るソーラーパネルの固定構造の第１実施形態の構成を示す全体斜視図である。
【００１８】
先ず、図１〜図６を用いて本発明に係るソーラーパネルの固定構造の第１実施形態の構成について説明する。図１及び図２において、陸屋根面１には防水シート２が絶縁工法により張設されている。ここで、絶縁工法とは、陸屋根面１の防水すべきコンクリート構造体３壁面の所要箇所に接合板４を固定し、このコンクリート構造体３壁面の全面に防水シート２を被せて接合板４に固定することによって、防水シート２の一部のみを固定し残りの大部分は放置して防水シート２を張設したものである。このような技術によれば防水シート２は陸屋根面１に対して点状に接着されるので陸屋根面１に変形や移動が生じた場合であっても防水シート２の非接着部分が変位を吸収するので防水シート２に亀裂が生じる可能性を低減させることが出来る。
【００１９】
コンクリート構造体３としては、ＡＬＣ（軽量気泡コンクリート）パネル、ＰＣ（プレキャスト）パネル、鉄筋コンクリートスラブ等が適用出来、これ等のコンクリート構造体３の上に発泡樹脂製の断熱材、モルタル、不燃板等が積層された陸屋根構造にも適用出来るものである。
【００２０】
防水シート２としては、軟質ポリ塩化ビニル製シート、ポリエチレン製シート、ポリプロピレン製シート等の熱可塑性合成樹脂シート、或いは非加硫ゴム系シート、ゴムアスファルト系シート等が適用出来る。防水シート２の厚みは、例えば１mm〜２mm程度が適用出来る。
【００２１】
接合板４は図３に示すように、鋼板等の金属板、或いは金属板に防水シート２と同一素材のシート片を上面に取り付けたもの或いは同一素材で表面コーティングしたものが適用出来る。接合板４の形状は円形、矩形、帯状等の種々の形状が適用出来、絶縁工法が可能な形状であれば良い。
【００２２】
接合板４の外周近傍には固定部材となる皿ネジ５を通す穴４ａが形成されている。本実施形態では、円板状の接合板４の外周近傍の３箇所に穴４ａが形成され、図４に示す柱状部材６の外径は接合板４の穴４ａを避ける位置の真上に該柱状部材６が配置し得る大きさに設定されている（図２及び図３参照）。尚、穴４ａを開ける位置は特に限定しない。
【００２３】
接合板４をコンクリート構造体３に固定する固定部材としては、カールプラグ、開脚釘等も適用出来、コンクリート構造体３からなる相手部材との関係で必要な引き抜き強度が得られるものを適宜採用することで良い。また、使用する固定部材の本数も必要な引き抜き強度から決定することで良い。
【００２４】
接合板４は柱状部材６の設置位置（即ち、ソーラーパネル10の設置位置）を考慮して陸屋根面１への固定位置が予め計画されていても良いし、既存建物へ適用する場合等は、柱状部材６の設置位置（即ち、ソーラーパネル10の設置位置）に関係なく固定された接合板４の位置に応じて柱状部材６の取付位置が決定されても良い。
【００２５】
陸屋根面１のコンクリート構造体３に接合板４が固定部材となる皿ネジ５により固定され、該接合板４に防水シート２が接合されて絶縁工法により張設される。接合板４と防水シート２との接合は接着剤による接着であっても良いが、防水シート２と同じ素材で表面コーティングされた接合板４と、防水シート２との間で同じ素材の溶剤を添加した溶着剤を塗布して接合板４と防水シート２とを溶着することが出来る。例えば塩化ビニル製防水シートからなる防水シート２と、塩化ビニル樹脂を表面コーティングした接合板４との間で塩化ビニル溶着剤を塗布して溶着することが出来る。
【００２６】
陸屋根面１に張設した防水シート２上には図４に示す柱状部材６が接合される。本実施形態の柱状部材６は接合板４の真上で且つ接合板４をコンクリート構造体３に固定する固定部材となる皿ネジ５を避ける位置に配置して防水シート２に接合される。
【００２７】
柱状部材６は防水シート２と同一の素材とすることが出来る。但し、防水シート２と長尺架台７の垂下片からなる風除け部７ｂとが非接触状態を維持し得る程度の剛性が必要である。そして、柱状部材６と防水シート２との間で同じ素材の溶剤を添加した溶着剤を塗布して柱状部材６と防水シート２とを溶着することが出来る。例えば塩化ビニル製防水シートからなる防水シート２と、塩化ビニル樹脂からなる柱状部材６との間で塩化ビニル溶着剤を塗布して溶着することが出来る。
【００２８】
柱状部材６の形状は特に限定しないが、円柱形等の方向性のないものが好ましい。また、図２に示すように、柱状部材６の上端から長尺架台７を固定するためのアンカーボルト８を予め突出させておくのが好ましい。本実施形態の柱状部材６は図４に示すように、所定の位置に貫通孔６ａが設けられ、該貫通孔６ａの下部にはアンカーボルト８の六角形の頭部８ａを嵌入して係止し得る六角形の係止穴６ｂが連通されている。図４（ａ）は柱状部材６の中央部に貫通孔６ａが一つ設けられた一例であり、図４（ｂ）は柱状部材６の直径上に貫通孔６ａが二つ設けられた一例である。
【００２９】
接合板４の真上に柱状部材６をセットする場合においては、固定部材となる皿ネジ５を緩める作業に支障のない位置に配置する。柱状部材６の交換メンテナンスは防水シート２と一体的に行う。
【００３０】
また、柱状部材６は防水シート２に直接溶着せず、図２（ｃ）に示すように、予め柱状部材６に溶着シート片９を溶着したものを用意しておき、施工現場では防水シート２と溶着シート片９との溶着作業を行うようにしても良い。
【００３１】
溶着シート片９及び柱状部材６は防水シート２と同一の素材とすることが出来、柱状部材６と溶着シート片９との間で同じ素材の溶剤を添加した溶着剤を塗布して柱状部材６と溶着シート片９とを溶着し、更に溶着シート片９と防水シート２との間で同じ素材の溶剤を添加した溶着剤を塗布して溶着シート片９と防水シート２とを溶着することが出来る。例えば塩化ビニル製防水シートからなる防水シート２及び溶着シート片９と、塩化ビニル樹脂からなる柱状部材６とのそれぞれの間で塩化ビニル溶着剤を塗布して溶着することが出来る。
【００３２】
陸屋根面１に不陸が形成されている場合には、可撓性のある溶着シート片９と防水シート２同士の溶着作業のほうが不陸に対応し易い。また、溶着シート片９の非溶着部分で切り取ることで防水シート２を剥がすことなく柱状部材６の除去が容易に出来る。
【００３３】
図１に示す10は太陽エネルギーを取得するための矩形のソーラーパネルであり、その一例としては太陽光発電モジュールや太陽熱温水器等が適用出来る。一対の長尺架台７は柱状部材６の上面に陸屋根面１に張設した防水シート２とは非接触を保って平行に載置されている。一対の長尺架台７の上面にはソーラーパネル10を所定の傾斜角度をもって支持するパネル支持部材13が載置され、長尺架台７と共に柱状部材６に固定されている。そして、パネル支持部材13によってソーラーパネル10の対向する２辺が所定の傾斜角度をもって支持されている。
【００３４】
一対の長尺架台７及びパネル支持部材13はソーラーパネル10が支持される２辺の全長に亘って該ソーラーパネル10と該陸屋根面１との間の空間を覆って該ソーラーパネル10下方へ進入する風を減衰させる風除け部７ｂ，13ｂを有する。
【００３５】
即ち、パネル支持部材13の風除け部13ａは、傾斜したソーラーパネル10の上方の辺（水が流れる場合の水上辺）の付近において、一対の長尺架台７のうちの一方の長尺架台７と協働してソーラーパネル10と陸屋根面１との間の空間を覆ってソーラーパネル10の下方へ進入する風を減衰させる。
【００３６】
図５に示す長尺架台７は水平片７ａの両端に垂下片からなる風除け部７ｂを有して断面コ字形状をなしている。またパネル支持部材13は、長尺架台７の水平辺７ａに当接する水平片13ａと、該水平片13ａの両端から起立する異なる高さの一対の起立片からなる風除け部13ｂと、夫々の起立片からなる風除け部13ｂの上端から互いに等しい（同一平面上となる）傾斜角度で延伸した一対の支持片13ｃと、からなり、その長尺方向の長さは長尺架台７の長尺方向の長さに等しい長さを有している。
【００３７】
そして、長尺架台７の垂下片からなる風除け部７ｂ及びパネル支持部材13の支持片13ｃによりソーラーパネル10が所定の傾斜角度をもって支持されたことによって形成された該ソーラーパネル10と該陸屋根面１との間の空間を起立片からなる風除け部13ｂにより覆って該ソーラーパネル10の下方へ進入する風を減衰させる。
【００３８】
ソーラーパネル10を設置する場合には、先ず、陸屋根面１のコンクリート構造体３に皿ネジ５により接合板４を固定し、該接合板４を含む陸屋根面１上の全面に防水シート２を被せて該接合板４の上面に防水シート２を接合する。
【００３９】
次に柱状部材６の下面側からアンカーボルト８を貫通孔６ａに挿通して該アンカーボルト８の頭部８ａを係止穴６ｂに嵌入して係止させ、接合板４の真上で皿ネジ５を避ける位置で柱状部材６の下面を防水シート２上に接合する。
【００４０】
次に長尺架台７及びパネル支持部材13を柱状部材６の上面に載置すると共に、各水平片７ａ，13ａに設けられた貫通孔7a1，13a1に柱状部材６から突出するアンカーボルト８の軸部８ｂを挿通し、該軸部８ｂにナット11を螺合締結して長尺架台７及びパネル支持部材13を固定する。
【００４１】
次にソーラーパネル10が支持される辺に取り付けられた接続金物12を高さが異なるパネル支持部材13の支持片13ｃにボルト止めしてソーラーパネル10を所定の傾斜角度で固定する。
【００４２】
長尺架台７及びパネル支持部材13の材質としては、ステンレス、亜鉛めっき処理した鋼材等の防錆処理を施した金属が好ましい。ソーラーパネル10を所定の傾斜角度で支持するパネル支持部材13の支持片13ｃ及び起立片からなる風除け部13ｂと長尺架台７の垂下片からなる風除け部７ｂにより風の吹き込みを防止する風除け部14が連続的に形成され、これによりソーラーパネル10の下面が強風を直接受けて吹き上げられることがないように構成することが出来る。
【００４３】
パネル支持部材13の一対の支持片13ｃの高さの差は特に制約はないが、地域や方角によって受光効率等を考慮して設計することが出来る。但し、少なくともソーラーパネル10の表面に滴下した雨が滞留することなく流れ落ちるような勾配を確保するのが好ましい。
【００４４】
上記構成によれば、ソーラーパネル10を所定の傾斜角度をもって支持する一対のパネル支持部材13と長尺架台７とがソーラーパネル10が支持される辺の全長に亘ってソーラーパネル10と該陸屋根面１との間の空間を覆って該ソーラーパネル10の下方へ進入する風を減衰させる風除け部14を形成することにより該ソーラーパネル10が風によって吹き上げられ難くなり、陸屋根面１に比較的固定力の小さな絶縁工法で固定された防水シート２に対して、軽量且つ受風面が広く風により飛ばされ易いソーラーパネル10を固定する場合であっても、高い耐風性能を維持出来るので安全性が高い。
【００４５】
また、接合板４を陸屋根面１のコンクリート構造体３に固定する固定部材となる皿ネジ５の上部に柱状部材６が載置されない構成としたことで接合板４を固定している固定部材となる皿ネジ５の取り外しが簡単に行え、防水シート２の張り替え等のメンテナンスが容易に出来る。
【００４６】
また、長尺架台７の垂下片からなる風除け部７ｂの下部には僅かな隙間が形成されるため陸屋根面１に水勾配があっても水溜りが形成されることが無く、陸屋根面１を屋上として利用する場合にも支障をきたすことがなく美観を損ねることもない。
【００４７】
また、長尺架台７の温度変化による伸縮や地震等によって変形が生じても、力が直接接合板４に伝達され防水シート２には伝達されないので、防水シート２が破断する等の虞が無い。
【００４８】
図６は防水シート２が陸屋根面１のコンクリート構造体３に固定部材となる皿ネジ５により固定される接合板４に接合されて張設されており、柱状部材６は該接合板４を避ける位置に配置して防水シート２に接合された場合の一例である。また、図２（ｃ）に示して前述したと同様に、防水シート２と柱状部材６との間に補強用の溶着シート片９を介在させることも出来る。
【００４９】
上記構成によれば、接合板４の上部に柱状部材６が載置されない構成とすることが出来、予め設置された接合板４の位置とソーラーパネル10に対応する柱状部材６の位置とがずれた場合にも適用出来る。
【００５０】
このように構成することにより、長尺架台７の温度変化による伸縮や地震等によって変形が生じても、防水シート２の屋根下地との非接合部（防水シート２の弾性により変形が許容される部分）で変位が吸収されるので、防水シート２に対して悪影響を及ぼすことがない。
【００５１】
次に図７を用いて本発明に係るソーラーパネルの固定構造の第２実施形態の構成について説明する。図７は本発明に係るソーラーパネルの固定構造の第２実施形態の構成を示す全体斜視図である。尚、前記第１実施形態と同様に構成したものは同一の符号を付して説明を省略する。
【００５２】
本実施形態におけるパネル支持部材21は、一対の長尺架台７の上面に架け渡して載置される水平片21ａと、該水平片21ａの一端側から起立した起立片21ｂと、水平片21ａの他端側と起立片21ｂの上端とで支持され所定の傾斜角度を有するパネル支持片21ｃと、該起立片21ｂに取り付けられる風除け片21ｄとを有して構成されている。
【００５３】
ソーラーパネル10は、一対の長尺架台７に直交するよう架け渡され固定された一対のパネル支持部材21に傾斜する２辺が支持、固定される。
【００５４】
一対のパネル支持部材21の起立片21ｂには風除け片21ｄが取り付けられ、該風除け片21ｄと長尺架台７の垂下片からなる風除け部７ｂとによって、ソーラーパネル10と陸屋根面１との間の空間を覆って該ソーラーパネル10の下方へ進入する風を減衰させる風除け部14が連続的に形成され、これによりソーラーパネル10と陸屋根面１との空間が覆われ、ソーラーパネル10の下面が強風を直接受けて吹き上げられることがない。
【００５５】
即ち、本実施形態のパネル支持部材21も傾斜したソーラーパネル10の上方の辺の付近において、一対の長尺架台７のうちの一方の長尺架台７と協働してソーラーパネル10と陸屋根面１との間の空間を覆ってソーラーパネル10の下方へ進入する風を減衰させる風除け部14を有する構成とされる。
【００５６】
パネル支持部材21の水平片21ａの両端には長尺架台７の水平片７ａにビス固定するための貫通孔21a1が形成されている。貫通孔21a1は起立片21ｂやパネル支持片21ｃよりも外側に形成されているため、ビスの着脱が容易で、ソーラーパネル10がパネル支持部材21に取り付けられた状態でも作業することが出来る。
【００５７】
パネル支持片21ｃにはソーラーパネル10をビス固定するための貫通孔21c1が形成されている。貫通孔21c1は水平片21ａや起立片21ｂから幅方向に突出した部分に形成されているため、水平片21ａや起立片21ｂに阻害されることなくビス固定の作業が行える。
【００５８】
他の構成については、長尺架台７の水平片７ａにパネル支持部材21取り付け用の貫通孔21a1が形成されている以外は、前記第１実施形態と同様に構成され、同様の効果を得ることが出来る。
【００５９】
長尺架台７を３列以上所定間隔で平行に配置してソーラーパネル10を複数列近接して設置する場合、最も風の進入を受け易いのは起立片21ｂ側が他のソーラーパネル10と近接しない列（通常はソーラーパネル10の受光面を南側に向けて配置するので一般には最も北側の列）のソーラーパネル10であり、その他のソーラーパネル10はあまり影響を受けない。従って、風除け片21ｄは起立片21ｂ側が他のソーラーパネル10と近接しない列にのみ取り付けても良い。このように構成することによりソーラーパネル10設置の手間やコストを低減させることが出来る。
【産業上の利用可能性】
【００６０】
本発明の活用例として、防水シートを絶縁工法により張設した陸屋根面に対して太陽エネルギーを取得するための太陽光発電モジュールや太陽熱温水器等のソーラーパネルを固定する際の該ソーラーパネルの固定構造に適用することが出来る。
【図面の簡単な説明】
【００６１】
【図１】本発明に係るソーラーパネルの固定構造の第１実施形態の構成を示す全体斜視図である。
【図２】（ａ）は本発明に係るソーラーパネルの固定構造の第１実施形態の構成を示す断面説明図、（ｂ）は柱状部材と長尺部材とパネル支持部材の固定構造を示す分解説明図、（ｃ）は柱状部材と防水シートとの間に補強シートを介在させた場合の一例を示す分解説明図である。
【図３】（ａ）は接合板の構成を示す平面図及び側面図、（ｂ）は接合板の構成を示す断面図である。
【図４】（ａ），（ｂ）は各種柱状部材の構成を示す平面図及び断面図である。
【図５】長尺部材及びパネル支持部材の一例を示す斜視図である。
【図６】柱状部材と接合板との位置をずらした場合の本発明に係るソーラーパネルの固定構造の第１実施形態の構成を示す全体斜視図である。
【図７】本発明に係るソーラーパネルの固定構造の第２実施形態の構成を示す全体斜視図である。
【符号の説明】
【００６２】
１…陸屋根面
２…防水シート
３…コンクリート構造体
４…接合板
４ａ…穴
５…皿ネジ
６…柱状部材
６ａ…貫通孔
６ｂ…係止穴
７…長尺架台
７ａ…水平片
7a1…貫通孔
７ｂ…風除け部
８…アンカーボルト
８ａ…頭部
８ｂ…軸部
９…溶着シート片
10…ソーラーパネル
11…ナット
12…接続金物
13…パネル支持部材
13ａ…水平片
13a1…貫通孔
13ｂ…風除け部
13ｃ…支持片
14…風除け部
21パネル支持部材
21ａ…水平片
21a1…貫通孔
21ｂ…起立片
21ｃ…パネル支持片
21c1…貫通孔
21ｄ…風除け片
【図１】
0005116238.tif 000002
【図２】
0005116238.tif 000003
【図３】
0005116238.tif 000004
【図４】
0005116238.tif 000005
【図５】
0005116238.tif 000006
【図６】
0005116238.tif 000007
【図７】
0005116238.tif 000008